(57)【特許請求の範囲】
【請求項１】
画像を撮影する撮像手段と、
前記撮影された画像により得た画像データを保存するメモリと、
前記撮影された画像により得た画像データを一時的に保存する一時保存メモリと、
前記画像データを前記メモリに保存することが選択された場合、前記画像データを前記メモリに保存する第１保存手段と、
前記画像データを前記メモリに保存しないことが選択された場合、前記画像データを破棄する第１破棄手段と、
前記画像データを前記メモリに保存する選択及び前記画像データを前記メモリに保存しない選択のいずれもされずに、これらの選択を少なくとも行う画面表示が強制終了された場合、前記画像データを前記一時保存メモリに一時的に保存する一時保存手段と、
前記撮像手段と前記一時保存手段の複数回の動作に対応して前記一時保存メモリに一時的に保存された複数の画像に対応する画像データの識別情報を該画像毎に選択できるように一覧表示する一覧表示手段と、
前記一覧表示から選択された識別情報に対応する画像の画像データを前記メモリに保存することが選択された場合、前記一時保存メモリに一時的に保存されている画像データであって該保存することが選択された画像データを前記メモリに保存した後、その画像データを前記一時保存メモリから破棄する第２保存手段と、
を備えることを特徴とする携帯電話機。
【請求項２】
請求項１に記載の携帯電話機であって、
前記一覧表示から選択された識別情報に対応する画像の画像データを前記一時保存メモリから破棄することが選択された場合、前記一時保存メモリに保存されている画像データであって該破棄することが選択された画像データを前記一時保存メモリから破棄する第２破棄手段を更に備えることを特徴とする携帯電話機。
【請求項３】
請求項１又は２に記載の携帯電話機であって、
前記一覧表示手段により識別情報が一覧表示されている画像データの各々について、前記一時保存手段により前記一時保存メモリに保存されてから所定時間が経過した時に、前記一時保存メモリに保存された画像データを前記メモリに保存することが選択された場合、該保存することが選択された画像データを前記メモリに保存した後、前記一時保存メモリから破棄する第３保存手段を更に備えることを特徴とする携帯電話機。
【請求項４】
請求項１又は２に記載の携帯電話機であって、
前記一覧表示手段により識別情報が一覧表示されている画像データの各々について、前記一時保存手段により前記一時保存メモリに保存されてから所定時間が経過した時に、前記一時保存メモリに保存された画像データを破棄することが選択された場合、該破棄することが選択された画像データを前記一時保存メモリから破棄する第３破棄手段を更に備えることを特徴とする携帯電話機。
【請求項５】
請求項１乃至４の何れか１項に記載の携帯電話機であって、
前記選択は、ユーザインターフェースを介して、ユーザにより行われることを特徴とする携帯電話機。
【請求項６】
画像を撮影する撮像手段と、前記撮影された画像により得た画像データを保存するメモリと、前記撮影された画像により得た画像データを一時的に保存する一時保存メモリと、を少なくとも備えた携帯電話機の画像保存方法であって、
前記画像データを前記メモリに保存することが選択された場合、前記画像データを前記メモリに保存する第１保存工程と、
前記画像データを前記メモリに保存しないことが選択された場合、前記画像データを破棄する第１破棄工程と、
前記画像データを前記メモリに保存する選択及び前記画像データを前記メモリに保存しない選択のいずれもされずに、これらの選択を少なくとも行う画面表示が強制終了された場合、前記画像データを前記一時保存メモリに一時的に保存する一時保存工程と、
前記撮像手段による画像の撮影と前記一時保存工程の複数回の動作に対応して前記一時保存メモリに一時的に保存された複数の画像に対応する画像データの識別情報を該画像毎に選択できるように一覧表示する一覧表示工程と、
前記一覧表示から選択された識別情報に対応する画像の画像データを前記メモリに保存することが選択された場合、前記一時保存メモリに一時的に保存されている画像データであって該保存することが選択された画像データを前記メモリに保存した後、その画像データを前記一時保存メモリから破棄する第２保存工程と、
を備えることを特徴とする携帯電話機の画像保存方法。
【請求項７】
請求項６に記載の携帯電話機の画像保存方法であって、
前記一覧表示から選択された識別情報に対応する画像の画像データを前記一時保存メモリから破棄することが選択された場合、前記一時保存メモリに保存されている画像データであって該破棄することが選択された画像データを前記一時保存メモリから破棄する第２破棄工程を更に備えることを特徴とする携帯電話機の画像保存方法。
【請求項８】
請求項６又は７に記載の携帯電話機の画像保存方法であって、
前記一覧表示工程により識別情報が一覧表示されている画像データの各々について、前記一時保存工程により前記一時保存メモリに保存されてから所定時間が経過した時に、前記一時保存メモリに保存された画像データを前記メモリに保存することが選択された場合、該保存することが選択された画像データを前記メモリに保存した後、前記一時保存メモリから破棄する第３保存工程を更に備えることを特徴とする携帯電話機の画像保存方法。
【請求項９】
請求項６又は７に記載の携帯電話機の画像保存方法であって、
前記一覧表示工程により識別情報が一覧表示されている画像データの各々について、前記一時保存工程により前記一時保存メモリに保存されてから所定時間が経過した時に、前記一時保存メモリに保存された画像データを破棄することが選択された場合、該破棄することが選択された画像データを前記一時保存メモリから破棄する第３破棄工程を更に備えることを特徴とする携帯電話機の画像保存方法。
【請求項１０】
請求項６乃至９の何れか１項に記載の携帯電話機の画像保存方法であって、
前記選択は、ユーザインターフェースを介して、ユーザにより行われることを特徴とする携帯電話機の画像保存方法。
【発明の詳細な説明】
【技術分野】
【０００１】
本発明は、カメラ機能を有する携帯電話機における画像保存技術に関する。
【背景技術】
【０００２】
昨今の携帯電話機においては、カメラが内蔵されていることが一般的である。ここで、従来のカメラ付き携帯電話機の一使用例について、図２を用いて説明する。
【０００３】
まず、参照番号２００におけるように、ユーザは携帯電話機に付属のカメラで撮影を行う。携帯電話機は参照番号２０２に示されているように、撮影した画像を保存するかどうかの確認画面を表示する。ここでユーザが保存を選択しようとして誤って強制終了してしまった場合、参照番号２０４に示されているように、待ち受け画面に戻ってしまう。このとき、当然ながら先ほど撮った写真は保存されていない。写真は瞬間を切り取るものであるため、これは取り返しがつかない状況であると考えられる。
【０００４】
このようなミスに対して、以前より携帯電話機の機能として、参照番号２０６に示されているように撮影後に画像を自動的に保存する機能が存在する。画像の自動保存機能の例は、引用文献１及び引用文献２に記載されている。
【先行技術文献】
【特許文献】
【０００５】
【特許文献１】特開２００５−３３３２９６号公報
【特許文献２】特開２００６−０６０５８６号公報
【発明の概要】
【発明が解決しようとする課題】
【０００６】
しかしながら、最近では携帯電話機のカメラ画素数はますます増加しており、上述の自動保存によって不要な画像を大量に保存してしまうと、それがメモリを逼迫する原因となる。
【０００７】
本発明は、上記課題に鑑みてなされたものであり、撮影した画像を保存する前に機能を強制終了してしまった場合でも、自動で画像を一時的に保存して後で保存するか破棄するかの選択を行うことができる機能を有する携帯電話を提供することを目的とする。 
【課題を解決するための手段】
【０００８】
本発明は、画像を撮影する撮像手段と、前記撮影された画像により得た画像データを保存するメモリと、前記撮影された画像により得た画像データを一時的に保存する一時保存メモリと、前記画像データを前記メモリに保存することが選択された場合、前記画像データを前記メモリに保存する第１保存手段と、前記画像データを前記メモリに保存しないことが選択された場合、前記画像データを破棄する第１破棄手段と、前記画像データを前記メモリに保存する選択及び前記画像データを前記メモリに保存しない選択のいずもされずに、これらの選択を少なくとも行う画面表示が強制終了された場合、前記画像データを前記一時保存メモリに一時的に保存する一時保存手段と、前記撮像手段と前記一時保存手段の複数回の動作に対応して前記一時保存メモリに一時的に保存された複数の画像に対応する画像データの識別情報を該画像毎に選択できるように一覧表示する一覧表示手段と、前記一覧表示から選択された識別情報に対応する画像の画像データを前記メモリに保存することが選択された場合、前記一時保存メモリに一時的に保存されている画像データであって該保存することが選択された画像データを前記メモリに保存した後、その画像データを前記一時保存メモリから破棄する第２保存手段と、を備える。
【０００９】
また、本発明は、画像を撮影する撮像手段と、前記撮影された画像により得た画像データを保存するメモリと、前記撮影された画像により得た画像データを一時的に保存する一時保存メモリと、を少なくとも備えた携帯電話機の画像保存方法であって、前記画像データを前記メモリに保存することが選択された場合、前記画像データを前記メモリに保存する第１保存工程と、前記画像データを前記メモリに保存しないことが選択された場合、前記画像データを破棄する第１破棄工程と、前記画像データを前記メモリに保存する選択及び前記画像データを前記メモリに保存しない選択のいずれもされずに、これらの選択を少なくとも行う画面表示が強制終了された場合、前記画像データを前記一時保存メモリに一時的に保存する一時保存工程と、前記撮像手段による画像の撮影と前記一時保存工程の複数回の動作に対応して前記一時保存メモリに一時的に保存された複数の画像に対応する画像データの識別情報を該画像毎に選択できるように一覧表示する一覧表示工程と、前記一覧表示から選択された識別情報に対応する画像の画像データを前記メモリに保存することが選択された場合、前記一時保存メモリに一時的に保存されている画像データであって該保存することが選択された画像データを前記メモリに保存した後、その画像データを前記一時保存メモリから破棄する第２保存工程と、を備える。
【発明の効果】
【００１０】
本発明の第１の効果は、画像を保存していないまま誤って強制終了してしまった場合に自動的に画像を一時保存することにより、瞬間の映像を損失するリスクをなくすことである。また、時間がないときに保存機能を強制終了して一時保存することによって、後で保存するか破棄するかの選択を行うこともできる。 
【００１１】
本発明の第２の効果は、画像を一時保存した時間を起点として一定時間が経過したときにユーザに正式に保存するように促すことにより、保存し忘れや一時保存メモリの逼迫を防ぐことである。 
【図面の簡単な説明】
【００１２】
【図１】本発明の一実施形態の構成図である。
【図２】従来の携帯電話機における画像保存操作を示す。
【図３】第１の動作例のフローチャート（一時保存メモリへの保存）である。
【図４】第１の動作例のフローチャート（一時保存メモリから通常メモリへの保存）である。
【図５】第１の動作例の動作説明（一時保存メモリへの保存）である。
【図６】第１の動作例の動作説明（一時保存メモリから通常メモリへの保存）である。
【図７】第２の動作例のフローチャートである。
【図８】第２の動作例の動作説明である。
【発明を実施するための形態】
【００１３】
以下、本発明の携帯電話機の一実施形態について詳細に説明する。しかし、本発明は以下の実施形態に限定されることはない。
【００１４】
まず、本実施形態の構造について図１を参照しながら説明する。本実施形態は、キーボード１００と、メモリ１１０と、一時保存メモリ１１５と、制御部１２０と、ディスプレイ１３０と、無線部１４０と、アンテナ１４０と、マイク１５０と、スピーカ１６０と、カメラ１７０と、ＧＰＳモジュール１８０と、電池１９０と、から構成されている。しかし、本発明の特徴と直接的な関係がないので、キーボード１００、メモリ１１０、一時保存メモリ１１５、制御部１２０、ディスプレイ１３０、カメラ１７０以外の装置についての説明は省略する。 
【００１５】
キーボード１００は、カメラ１７０のシャッターとしての機能を持ったり、ディスプレイ１３０に表示する内容を選択又は決定したりする機能を有する。メモリ１１０は、撮影した画像を保存しておく機能を有する。一時保存メモリ１１５は、撮影した画像を一時的に保存しておく機能と、一時保存したあとで保存か破棄かをユーザに通知するまでの時間を保持しておく機能とを有する。制御部１２０は、カメラ１７０を制御して画像を撮影したり、撮影した画像をメモリ１１０や一時メモリ１１５に保存したりする機能を有する。ディスプレイ１３０は、カメラ１７０で撮影した画像を表示したり、ユーザが携帯電話機を操作した内容を表示したりする機能を有する。カメラ１７０は、人物や風景などを撮影する撮像機能を有する。 
【００１６】
これより、本発明の実施形態の第１及び第２の動作例について、図１、図５、図６、図３のフローチャート及び図４のフローチャートを参照しながら詳細に説明する。
【００１７】
第１の動作例は、カメラ１７０で撮影した画像をディスプレイ１３０に表示して、その画像を保存するか破棄するかを選択する際に、誤って強制終了してしまった場合に画像を一時メモリ１１５に一時的に保存する場合である。 
【００１８】
まず、図３のステップＳ３００において、ユーザはカメラ１７０を起動して写真を撮影する。すると、Ｄ５０２（図５）のように保存するかどうかを確認する旨のメッセージがディスプレイ１３０に表示される。
【００１９】
次に、ステップＳ３０２として、上記の保存確認メッセージ表示時に、ユーザが終話キーなどの機能を強制的に終了させるキーを使用して強制終了を選択する場合と、しない場合と２つの状況を考える。
【００２０】
ここで、ユーザが終話キーなどの機能を強制的に終了させるキーを使用して、画像を保存せずに強制終了を選択した場合を考える。このように保存をせずに強制終了すると、ステップはＳ３０９へと進み、制御部１２０が一時保存処理作業を開始する。 
【００２１】
ステップＳ３１０において制御部１２０は、撮影した画像を保存するだけの容量が一時保存メモリ１１５内にあるかどうかを確認する。例えば、一時保存メモリ１１５の容量が最大画像５枚であり、現在メモリに保存されている画像数が５枚未満である場合、ステップＳ３１２において撮影した画像を一時保存メモリ１１５に保存することができる。そのとき、Ｄ５０８に示されているような一時保存した旨の情報表示を行い、カメラ機能を終了し（ステップＳ３１４）、一時保存処理を終了する（ステップＳ３１６）。
【００２２】
例えば、もし一時保存メモリ１１５に現在保存されている画像が５枚である場合、制御部１２０は撮影した日時が古い画像から１枚を破棄する（ステップＳ３１８）。それから、撮影した画像を、容量に１枚分の空きができた一時保存メモリ１１５に保存して、カメラ機能を終了し（ステップＳ３１４）、一時保存処理を終了する（ステップＳ３１６）。
【００２３】
一方、ステップＳ３０２において、ユーザが強制終了を行わないで自ら画像を保存することを選択した場合は、通常の画像保存処理（ステップＳ３０４）へと進む。Ｄ５０２（図５）のメッセージが表示されている場面でユーザが「はい」を選択すると、制御部１２０は撮影した画像をメモリ１１０に保存し、Ｄ５０４（図５）に示されているように画像を保存した旨のメッセージをディスプレイ１３０に表示して、保存処理を終了する（ステップＳ３０６）。 
【００２４】
また、ステップＳ３０４において、ユーザが「いいえ」（すなわち、撮影した画像を保存しない）を選択した場合は、制御部１２０は撮影した画像をメモリ１１０に保存せず破棄して終了する（Ｓ３０８）。 
【００２５】
続いて、一時保存メモリ１１５に画像を保存した後における画像の処理過程について、図４及び６のフローチャートを主に参照しながら説明する。
【００２６】
ユーザが携帯電話機のメニューなどから一時保存した画像を呼び出す操作を行うことにより、制御部１２０は一時保存メモリ１１５に保存している一時保存画像一覧をディスプレイ１３０に表示する（図６のＤ６００）。ユーザは図４のステップＳ４００でディスプレイ１３０に表示された画像一覧を確認し、そのなかの１つの画像を選択する。すると、制御部１２０は、Ｄ６０２に示されているように、その画像を保存するか破棄するかを尋ねる旨のメッセージを表示する。ユーザはステップＳ４０２において、画像を保存するかどうかを選択する。ここで「保存」を選択した場合、制御部１２０は画像をメモリ１１０に保存し（ステップＳ４０４）、それから一時保存メモリ１１５の画像を破棄し（ステップＳ４０６）、ディスプレイ１３０に保存した旨のメッセージを表示して終了する（Ｄ６０４）。一方、ステップＳ４０２において「破棄」を選択した場合、制御部１２０はステップＳ４０８において、一時保存メモリ１１５の画像を破棄して終了する（Ｄ６０６）。
【００２７】
次に、本発明の実施形態の第２の動作例について、図１、図８及び図７のフローチャートを参照して詳細に説明する。なお、本動作例は、第１の動作例の別様態となっている。
【００２８】
第２の動作例は、画像を一時保存した時刻からあらかじめ設定しておいた時間が経過すると、その一時保存している画像を正式に保存するよう促すものである。
【００２９】
まず、図７のステップＳ７００において、制御部１２０は、一時保存メモリ１１５に保存されている画像をユーザへと通知するまでの時間を確認する（Ｍ８００）。確認して通知までの時間が経過していない場合、この動作を繰り返す。通知までの時間が経過していた場合、制御部１２０はステップＳ７０２において、一時保存画像を保存するか破棄するかを確認する旨のメッセージをディスプレイ１３０に表示する（Ｄ８０２）。この通知するまでの時間は、ユーザが自分で設定してもよい。
【００３０】
ここでユーザが「保存」を選択した場合、制御部１２０はステップＳ７０４において画像をメモリ１１０に保存し、ステップＳ７０６において一時保存メモリ１１５の画像を破棄し、ディスプレイ１３０に画像を保存した旨のメッセージを表示して終了する（Ｄ８０４）。一方、ユーザが「破棄」を選択した場合、制御部１２０はステップＳ７０６において、一時保存メモリ１１５の画像を破棄しディスプレイ１３０に画像を破棄した旨のメッセージを表示して終了する（Ｄ８０６）。
【００３１】
上記の実施形態の一部又は全部は、以下の付記のようにも記載されうるが、以下には限られない。
（付記１）画像を撮影する撮像手段と、前記画像を保存するメモリ手段と、前記画像を一時的に保存する一時保存メモリ手段と、前記画像を表示する表示手段と、前記各手段の動作を制御する制御手段と、を少なくとも備えた携帯電話機であって、前記制御手段は、前記撮像手段によって撮影された画像が前記メモリ手段に保存されない状態のまま該撮像手段が強制終了するときに、前記画像を自動で前記一時保存メモリ手段に保存する機能を有する、携帯電話機。
【００３２】
（付記２）前記制御手段は、前記一時保存メモリに前記画像を一時保存する前に、前記一時保存メモリ手段の容量に空きがあるかを確認し、空きがなければ前記一時保存メモリ手段に保存されている画像のうち一番古いものを削除することを特徴とする付記１に記載の携帯電話機。
【００３３】
（付記３）前記一時保存メモリ手段は、一時保存した前記画像をユーザが前記メモリ手段に保存する又は破棄するまで、前記画像を保持し続けることを特徴とする付記１又は２に記載の携帯電話機。
【００３４】
（付記４）前記一時保存メモリ手段に一保存された画像をユーザが前記メモリ手段に保存した場合、前記画像は前記一時保存メモリ手段から消去されることを特徴とする付記３に記載の携帯電話機。
【００３５】
（付記５）前記制御手段は、前記一時保存メモリ手段に前記画像が一時保存されて一定時間経過した後、前記画像を前記メモリ手段に保存するか又は破棄するかをユーザに通知して選択させる機能を有することを特徴とする付記４に記載の携帯電話機。
【００３６】
（付記６）画像を撮影する撮像手段と、前記画像を保存するメモリ手段と、前記画像を一時的に保存する一時保存メモリ手段と、前記画像を表示する表示手段と、前記各手段の動作を制御する制御手段と、を少なくとも備えた構成されている携帯電話機の画像保存方法であって、前記撮像手段によって画像を撮影する工程と、前記画像が前記メモリ手段に保存されない状態のまま該撮像手段が強制終了されるときに、前記制御手段が前記画像を前記一時保存メモリ手段に一時保存する工程と、を有する、携帯電話機の画像保存方法。
【００３７】
（付記７）前記制御手段によって前記一時保存メモリ手段に容量の空きがあるかを確認し、空きがなければ前記一時保存メモリ手段に保存されている画像のうち一番古いものを削除する工程を、前記一時保存工程の前に有することを特徴とする付記６に記載の携帯電話機の画像保存方法。
【００３８】
（付記８）前記一時保存メモリ手段に一時保存した前記画像を前記メモリ手段に保存するか又は破棄するかをユーザが選択する工程を有することを特徴とする付記６又は７に記載の携帯電話機の画像保存方法。
【００３９】
（付記９）前記一時保存メモリ手段に一保存された画像をユーザが前記メモリ手段に保存した場合、前記画像を前記一時保存メモリ手段から消去する工程を有することを特徴とする付記８に記載の携帯電話機の画像保存方法。
【００４０】
（付記１０）前記一時保存メモリ手段に前記画像が一時保存されて一定時間経過した後、前記画像を前記メモリ手段に保存するか又は破棄するかを前記制御手段がユーザに通知して選択させる工程を有することを特徴とする付記９に記載の携帯電話機の画像保存方法。
【産業上の利用可能性】
【００４１】
本発明は、カメラ機能を有する移動体無線端末に適用することが可能である。
【符号の説明】
【００４２】
１００  キーボード
１１０  メモリ
１１５  一時保存メモリ
１２０  制御部
１３０  ディスプレイ
１４０  無線部
１４５  アンテナ
１５０  マイク
１６０  スピーカ
１７０  カメラ
１８０  ＧＰＳモジュール
１９０  電池
【図１】
0005517101.tif 000002
【図２】
0005517101.tif 000003
【図３】
0005517101.tif 000004
【図４】
0005517101.tif 000005
【図５】
0005517101.tif 000006
【図６】
0005517101.tif 000007
【図７】
0005517101.tif 000008
【図８】
0005517101.tif 000009